(57)【要約】      （修正有）【課題】各種のサイズにおいて、保冷媒体の流動性による偏在を抑えて身体に対する十分な冷却効果を発揮し、かつ、適度な弾性を有し、通気性が良く熱の放熱作用にも優れ使用感を良好としたような弾性保冷具を実現し提供する。【解決手段】布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、前記保冷具の一面に重合配置されるとともに、網目状表地３３及び網目状裏地を対向配置とし、前記網目状表地３３、網目状裏地間を、各々間隔を隔て連結する弾性連結糸材群を具備し、前記網目状表地、網目状裏地間に弾性、通気性を持たせた多穴弾性体３１と、前記保冷具、多穴弾性体３１の外周部を覆うように縫着され、前記保冷具、多穴弾性体を一体化した周辺逢着材４１とを有す。【選択図】図１
2011103993.tif 000002
【特許請求の範囲】
【請求項１】
布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、
前記保冷具の一面に重合配置されるとともに、網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせた多穴弾性体と、
前記保冷具、多穴弾性体の外周部を覆うように縫着され、前記保冷具、多穴弾性体を一体化した周辺逢着材と、
を有することを特徴とする弾性保冷具。
【請求項２】
布状素材からなる表地と、非吸水性素材からなる裏地とを有するシート状の２枚の被覆材同士を、前記裏地同士を重ね合わせて外周圧着部、内部領域の放熱用の抜穴を有する部分圧着部及び直線状の中間圧着部をもって偏平な形態に形成した外装体と、前記外周圧着部、内部領域の部分圧着部及び中間圧着部により前記外装体内において流動が規制される状態で収納した保冷媒体と、
を有する保冷具と、
前記保冷具の一面に重合配置されるとともに、網目状表地及び網目状裏地を対向配置とし、前記網目状表地、網目状裏地の対向する網材間を各々間隔を隔て連結する弾性連結糸材群を具備し、前記網目状表地、網目状裏地間に弾性、通気性を持たせた前記保冷具に対応するサイズの多穴弾性体と、
前記保冷具、多穴弾性体の外周部を覆うように縫着され、前記保冷具、多穴弾性体を一体化した周辺逢着材と、
を有することを特徴とする弾性保冷具。
【請求項３】
布状素材からなる表地と、高周波加熱により溶着可能な非吸水性素材からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納した保冷媒体と、
を有する保冷具と、
前記保冷具の一面に重合配置されるとともに、多数の穴が連続して連なる形態の網目状表地及び網目状裏地を対向配置とし、前記網目状表地、網目状裏地の対向する網材間を各々間隔を隔て連結する弾性連結糸材群を具備し、前記網目状表地、網目状裏地間に弾性、通気性を持たせた偏平な形態で前記保冷具に対応するサイズの多穴弾性体と、
前記保冷具、多穴弾性体の外周部を覆うように縫着され、前記保冷具、多穴弾性体を一体化した周辺逢着材と、
を有することを特徴とする弾性保冷具。
【請求項４】
繊維、綿、ナイロン、ポリエステル、レーヨン、麻、起毛生地、ちりめん、楊柳、タオル地等から選定される表地と、高周波加熱により溶着可能な非吸水性素材であるポリ塩化ビニル等からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有する保冷具と、
前記保冷具の一面に重合配置されるとともに、多数の穴が連続して連なる形態の矩形シート状の網目状表地及び網目状裏地を対向配置とし、前記網目状表地、網目状裏地の対向する網材間を各々間隔を隔て連結する弾性連結糸材群を具備し、前記網目状表地、網目状裏地間に弾性、通気性を持たせた偏平な形態で前記保冷具に対応するサイズの多穴弾性体と、
前記保冷具、多穴弾性体の四辺外周部を覆うように縫着され、前記保冷具、多穴弾性体を一体化した周辺逢着材と、
を有し、
表裏反転してリバーシブル使用可能としたことを特徴とする弾性保冷具。
【請求項５】
繊維、綿、ナイロン、ポリエステル、レーヨン、麻、起毛生地、ちりめん、楊柳、タオル地等から選定される表地と、高周波加熱により溶着可能な非吸水性素材であるポリ塩化ビニル等からなる裏地とを有し、敷布団用サイズ、シーツ用サイズ、枕用サイズ又はこれらの中間寸法のハーフサイズ、更にカーシートサイズや座布団サイズ、ワイン保冷用シートサイズ等の内から選定される矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有する保冷具と、
前記保冷具の一面に重合配置されるとともに、多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体と、
前記保冷具、多穴弾性体の四辺外周部を覆うように縫着され、前記保冷具、多穴弾性体を一体化した周辺逢着材と、
を有し、
表裏反転してリバーシブル使用可能としたことを特徴とする弾性保冷具。
【請求項６】
繊維、綿、ナイロン、ポリエステル、レーヨン、麻、起毛生地、ちりめん、楊柳、タオル地等から選定される表地と、高周波加熱により溶着可能な非吸水性素材であるポリ塩化ビニル等からなる裏地とを有し、敷布団用サイズ、シーツ用サイズ、枕用サイズ又はこれらの中間寸法のハーフサイズ、更にカーシートサイズや座布団サイズ、ワイン保冷用シートサイズ等の内から選定される矩形シート状の２枚の被覆材同士を、前記裏地同士を重ね合わせて裏地同士の高周波加熱による外周圧着部、内部領域の円環状、四角形状、三角形状、楕円形状、ハート形状等からなり、かつ、放熱用の円形、四角形、三角形、楕円形、ハート形状等から選定される抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有する保冷具と、
前記保冷具の一面に重合配置されるとともに、六角形状、円形状、楕円形状、四角形状、菱形状のような形状から選定される多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体と、
前記保冷具、多穴弾性体の四辺外周部を覆うように縫着され、前記保冷具、多穴弾性体を一体化した周辺逢着材と、
を有し、
表裏反転してリバーシブル使用可能としたことを特徴とする弾性保冷具。
【請求項７】
前記保冷具の外装体は、当該外装体を構成する表地、裏地に代替して、一枚もののポリ塩化ビニル材から形成したものであることを特徴とする請求項１乃至６のいずれかに記載の弾性保冷具。
【発明の詳細な説明】
【技術分野】
【０００１】
本発明は、弾性保冷具に関するものであり、詳しくは、ジェルを含む保冷媒体の冷却効果を利用し人体各部の冷却用として使用し得るとともに、弾力性、通気性を有し使用感も良好な弾性保冷具に関するものである。
【背景技術】
【０００２】
従来からジェルを含む保冷媒体を枕サイズ、敷布団サイズ、シーツサイズ等の外装体内に収納して冷却パッドを構成し、高温期の就寝時等において、この保冷具を枕に被せて頭部を冷却したりベッド上に載置して身体の背中等を冷却したりすることが行われている。
【０００３】
このような冷却パッドの場合、内部に収納したジェルを含む保冷媒体の流動性が大きいことから、単に保冷媒体を外装体内に収納しただけでは身体の重さにより保冷媒体が外装体内で偏在してしまい、身体に対する冷却効果を十分に期待できなくなる。
【０００４】
一方、近年、枕サイズ、敷布団サイズ、座布団サイズ等に形成した弾力性を有する立体網物が実用化され、これを就寝時や和室等で用いることも行われている。
【０００５】
特許文献１には、冷却パッドに関連するものとして、枕サイズとした冷熱ゲルシートと、この冷熱ゲルシートを挿脱させる収納部を内部に備えた枕カバーとにより構成した冷熱ゲル枕が開示されている。
【０００６】
しかしながら、特許文献１の場合、人体頭部の冷却効果を発揮させることを主眼としていて、比較的小寸法なもので、含水ゲルの流動性の点を考慮するとこのような冷熱ゲル枕の構成をそのまま長尺なシーツサイズ等に応用したとしても十分な冷却効果を期待し得ないものと推定される。
【０００７】
特許文献２には、立体網物に関連するものとして、表裏網地の間を連結糸で連結して立体化し、枕、マット等として使用可能としたクッション材が提案されている。
【０００８】
しかしながら、ジェルを含む保冷媒体の冷却効果と、適度な弾性及び通気性を確保でき使用感が良好な多穴弾性体とを組み合わせ、これら各機能を発揮し得るような弾性保冷具は存在しないのが現状である。
【先行技術文献】
【特許文献】
【０００９】
【特許文献１】特開２００２−２３３４４２号公報
【特許文献２】特許第４００１８９０号公報
【発明の概要】
【発明が解決しようとする課題】
【００１０】
本発明が解決しようとするとする問題点は、枕サイズ、敷布団サイズ、シーツサイズ等のような各種のサイズにおいて、保冷媒体の流動性による偏在を抑えて身体に対する十分な冷却効果を発揮し、かつ、適度な弾性を有し、通気性が良く熱の放熱作用にも優れ使用感を良好としたような弾性保冷具が存在しない点である。
【課題を解決するための手段】
【００１１】
本発明に係る弾性保冷具は、布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、前記保冷具の一面に重合配置されるとともに、網目状表地及び網目状裏地を対向配置とし、前記網目状表地、網目状裏地間を各々間隔を隔て連結する弾性連結糸材群を具備し、前記網目状表地、網目状裏地間に弾性、通気性を持たせた多穴弾性体と、前記保冷具、多穴弾性体の外周部を覆うように縫着され、前記保冷具、多穴弾性体を一体化した周辺逢着材と、を有することを最も主要な特徴とする。
【発明の効果】
【００１２】
請求項１記載の発明によれば、保冷具における保冷媒体の流動が規制されて偏在が無くなり、かつ、前記保冷具における抜穴及び多穴弾性体の網目により熱の放熱作用も良好に行なわれて、就寝時等において身体に対する十分な冷却効果を発揮することができ、しかも、多穴弾性体による適度な弾性により使用感も良好な弾性保冷具を提供することができる。
【００１３】
請求項２記載の発明によれば、シート状サイズとした構成で、前記保冷具における部分圧着部及び中間圧着部により保冷媒体の流動が規制されて偏在が無くなり、かつ、前記各部分圧着部に設けた抜穴及び多穴弾性体の網目により熱の放熱作用も良好に行なわれて、就寝時等において身体に対する十分な冷却効果を発揮することができ、しかも、多穴弾性体による適度な弾性により使用感も良好な弾性保冷具を提供することができる。
【００１４】
請求項３記載の発明によれば、矩形シート状とした構成で、前記保冷具における部分圧着部及び中間圧着部により保冷媒体の流動が規制されて偏在が無くなり、かつ、前記各部分圧着部に設けた抜穴及び多穴弾性体の穴により熱の放熱作用も良好に行なわれて、就寝時等において身体に対する十分な冷却効果を発揮することができ、しかも、多穴弾性体による適度な弾性により使用感も良好な弾性保冷具を実現し提供することができる。
【００１５】
請求項４記載の発明によれば、請求項３記載の発明と同様に、前記保冷具における部分圧着部及び中間圧着部により保冷媒体の流動が規制されて偏在が無くなり、かつ、前記各部分圧着部に設けた抜穴及び多穴弾性体の穴により熱の放熱作用も良好に行なわれて、就寝時等において身体に対する十分な冷却効果を発揮することができ、しかも、多穴弾性体による適度な弾性により使用感も良好であるとともに、表裏反転してのリバーシブル使用も可能な弾性保冷具を実現し提供することができる。
【００１６】
請求項５記載の発明によれば、請求項４記載の発明と略同様な構成で、かつ、シーツ用サイズ、敷布団サイズ、枕用サイズ等又はこれらの中間寸法のハーフサイズ、更にカーシートサイズや座布団サイズ、ワイン保冷用シートサイズ等の内から選定される構成の基に、請求項２記載の発明と同様にして、各々サイズにおいて前記保冷具における部分圧着部及び中間圧着部により保冷媒体の流動が規制されて偏在が無くなり、かつ、前記各部分圧着部に設けた抜穴及び多穴弾性体の穴により熱の放熱作用も良好に行なわれて、就寝時等において身体に対する十分な冷却効果を発揮することができ、しかも、多穴弾性体による適度な弾性により使用感も良好であるとともに、表裏反転してのリバーシブル使用も可能な弾性保冷具を実現し提供することができる。
【００１７】
請求項６記載の発明によれば、請求項５記載の発明と略同様な構成、すなわち、保冷具における複数箇所の部分圧着部として、円環状、四角形状、三角形状、楕円形状、ハート形状等からなり、かつ、放熱用の円形、四角形、三角形、楕円形等から選定される抜穴を有し、更に、多穴弾性体を六角形状、円形状、楕円形状、四角形状、菱形状のような形状から選定される多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態の弾性連結糸材群を設けた構成として、各々サイズにおいて前記保冷具における部分圧着部及び中間圧着部により保冷媒体の流動が規制されて偏在が無くなり、かつ、前記各部分圧着部に設けた抜穴及び多穴弾性体の穴により熱の放熱作用も良好に行なわれて、就寝時等において身体に対する十分な冷却効果を発揮することができ、しかも、多穴弾性体による適度な弾性により使用感も良好であるとともに、表裏反転してのリバーシブル使用も可能な弾性保冷具を実現し提供することができる。
請求項７記載の発明によれば、請求項１乃至６記載の発明における保冷具の外装体を構成する表地、裏地に代替して、一枚もののポリ塩化ビニル材から形成し、請求項１乃至６記載の発明と略同様な弾性保冷具を実現し提供することができる。
【図面の簡単な説明】
【００１８】
【図１】図１は本発明の実施例１に係る弾性保冷具の多穴弾性体を表側とした状態の平面図である。
【図２】図２は本発明の実施例１に係る弾性保冷具の保冷具を表側とした状態の平面図である。
【図３】図３は本実施例１に係る弾性保冷具の拡大側面図である。
【図４】図４（ａ）は本実施例１に係る弾性保冷具の概略部分拡大断面図である。図４（ｂ）は保冷具における外装体の変形例を示す概略部分拡大断面図である。
【図５】図５は本実施例１に係る弾性保冷具の多穴弾性体の一部を示す部分拡大断面図である。
【図６】図６は本実施例１に係る弾性保冷具の使用態様を示す概略平面図である。
【図７】図７は本実施例１に係る弾性保冷具の冷却作用の説明図である。
【図８】図８は本実施例１に係る弾性保冷具における部分圧着部及び抜穴の４種類の具体例を示す部分拡大図である。
【図９】図９は本発明の実施例２に係る弾性保冷具の多穴弾性体を表側とした状態の平面図である。
【図１０】図１０は本発明の実施例２に係る弾性保冷具の保冷具を表側とした状態の平面図である。
【図１１】図１１は本実施例２に係る弾性保冷具及びその多穴弾性体を表側とした状態の使用態様を示す概略平面図である。
【図１２】図１２は本実施例２に係る弾性保冷具及びその保冷具を表側とした状態の使用態様を示す概略平面図である。
【図１３】図１３は本発明の実施例３に係る弾性保冷具の多穴弾性体を表側とした状態の平面図である。
【図１４】図１４は本発明の実施例３に係る弾性保冷具の保冷具を表側とした状態の平面図である。
【図１５】図１５は本実施例３に係る弾性保冷具及びその多穴弾性体を表側とした状態の使用態様を示す概略平面図である。
【図１６】図１６は本実施例３に係る弾性保冷具及びその保冷具を表側とした状態の使用態様を示す概略平面図である。
【発明を実施するための形態】
【００１９】
本発明は、枕サイズ、敷布団サイズ、シーツサイズ等々のような各種のサイズにおいて、保冷媒体の流動性による偏在を抑えて身体に対する十分な冷却効果を発揮し、かつ、適度な弾性を有し、通気性が良く熱の放熱作用にも優れ使用感を極めて良好とした弾性保冷具を実現し提供するという目的を、繊維、綿、ナイロン、ポリエステル、レーヨン、麻、起毛生地、ちりめん、楊柳、タオル地等から選定される表地と、高周波加熱により溶着可能な非吸水性素材であるポリ塩化ビニル等からなる裏地とを有し、敷布団用サイズ、シーツ用サイズ、枕用サイズ又はこれらの中間寸法のハーフサイズ、更にカーシートサイズや座布団サイズ、ワイン保冷用シートサイズ等の内から選定される矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、を有する保冷具と、前記保冷具の一面に重合配置されるとともに、多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体と、前記保冷具、多穴弾性体の四辺外周部を覆うように縫着されて、前記保冷具、多穴弾性体を一体化した周辺逢着材と、を有し、表裏反転してリバーシブル使用可能とした構成により実現した。
【実施例１】
【００２０】
以下に、本発明の実施例に係る弾性保冷具について図面を参照して詳細に説明する。
【００２１】
図１乃至図８を参照して本実施例１に係る弾性保冷具１について説明する。
【００２２】
本実施例１に係る弾性保冷具１は、例えば敷布団又はマットレス等の上に敷いて使用するものであり、図１乃至図３、及び図４（ａ）、図５に示すように、例えば綿材、ナイロン、ポリエステル、レーヨン、麻、起毛生地、ちりめん、楊柳、タオル地等からなる表地３と、高周波加熱により溶着可能な例えばポリ塩化ビニル（ＰＶＣ）等の非吸水性素材からなる裏地４とを重合した一方の被覆材と、同様な構成の表地３、裏地４からなる他方の被覆材とを前記裏地４同士が対向する配置で重ね合わせ、高周波加熱加工を施した外装体２と、この外装体２内に散在状態で密封収納したジェルを含む保冷媒体５と、を有する保冷具２１と、前記保冷具２１に対応するサイズに形成され、その一面に重合配置される偏平な形態の多穴弾性体３１と、前記保冷具２１の外装体２、多穴弾性体３１の四辺外周部を覆うように縫着され、前記保冷具２１、多穴弾性体３１を一体化した綿材のような周辺逢着材４１と、を有している。
なお、本実施例１に係る弾性保冷具１は、上述したような敷布団又はマットレス等の上に敷いて使用する他、これ自体を単体で使用できることは勿論である。
【００２３】
前記保冷具２１における外装体２の形状、サイズは、矩形シート状で例えばシーツ用サイズ（例えば幅９０ｃｍ、長さ１４０ｃｍ）、敷布団サイズ、枕用サイズ又はこれらの中間寸法のハーフサイズ、更にカーシートサイズや座布団サイズ、ワイン保冷用シートサイズ等の内から選定している。
なお、本発明においては、図４（ｂ）に示すように、前記保冷具２１の外装体２を構成する表地３、裏地４に代替して、当該外装体２自体を一枚もののポリ塩化ビニル材から形成して実施することもできる。なお、外装体２を形成するポリ塩化ビニル材を透明なものとして実施しても良い。この場合においても、前記弾性保冷具１と略同様な弾性保冷具を実現できる。
【００２４】
前記多穴弾性体３１の形状、サイズも、前記外装体２に対応して、矩形シート状で例えば敷布団用サイズ又はシーツ用サイズ（例えば幅９０ｃｍ、長さ１４０ｃｍ）、枕用サイズ又はこれらの中間寸法のハーフサイズ、更にカーシートサイズや座布団サイズ、ワイン保冷用シートサイズ等の内から選定している。
【００２５】
図１、図２は、全体として敷布団サイズ又はシーツ用サイズに形成した前記保冷具２１、多穴弾性体３１及び周辺逢着材４１からなる弾性保冷具１を示している。
【００２６】
前記保冷具２１における保冷媒体５は、前記両裏地４同士の高周波加熱による外周圧着部６、円環状で、かつ、放熱用の円形の抜穴（完通穴）８を有する多数の部分圧着部７及び直線状の中間圧着部９からなる各圧着部における所定の圧着パターンの基にその流動が規制される状態で外装体２内に密封収納している。
【００２７】
前記両表地３の外面側には、防かび加工を施している。また、前記外周圧着部６の外側の外縁部には側地を配置し（ヘム巻）、全周にわたって縫製加工により縫合している。
【００２８】
前記ジェルを含む保冷媒体５の組成としては、例えば、ジェル、ポリアクリル酸ナトリウム、硫酸アンモニウム、硫酸ナトリウム、グリセリン、水、防カビ剤等からなる組成を挙げることができる。
【００２９】
本実施例１における前記部分圧着部７は、この実施例では図２に示すように、外装体２の全体にわたって横方向に８個、縦方向に６個、合計で４８個設けている。そして、各抜穴８は、各部分圧着部７に各々円形状に設けている。
【００３０】
前記部分圧着部７及び抜穴８の形成方法としては、まず、外装体２に対して高周波加熱により合計で４８個の部分圧着部７を形成し、次に、各部分圧着部７の中央部分にやはり高周波加熱により各々抜穴８を開けるものである。
【００３１】
本実施例１における前記中間圧着部９は、図２に示すように、外装体２に対して縦横配置に、かつ、間隔を隔てる配置に所要数形成している。
【００３２】
次に、前記多穴弾性体３１について、図１、図３乃至図５を参照して説明する。
【００３３】
前記多穴弾性体３１は、六角形状、円形状、楕円形状、四角形状、菱形状のような形状から選定される多数の穴３２が連続して連なる形態の矩形シート状の例えばポリエステル材又はナイロン材のような網目状表地３３及び網目状裏地３４を対向配置とし、図５に示すように、前記網目状表地３３、網目状裏地３４の対向する網材３３ａ、３４ａ間を各々間隔を隔て多数の弾性連結糸材３５（弾性連結糸材群）により連結することにより、前記網目状表地３３、網目状裏地３４間に弾性（バネ性）及び通気性を持たせた構成となっている。
【００３４】
前記弾性連結糸材３５としては、例えば、ナイロン又はテフロン（登録商標）のような材質からなるモノフィラメント又はマルチフィラメントを採用している。前記多穴弾性体３１の厚さは、例えば、３〜２０ｍｍに設定する。
【００３５】
前記網材３３ａ、３４ａ間を、各々間隔を隔て連結する弾性連結糸材３５の連結態様は、例えば、ストレート、クロス、ストレート・クロス混合の各態様を挙げることができる。
【００３６】
そして、前記保冷具２１における外装体２の四辺外周部と、前記多穴弾性体３１の四辺外周部とを重ね合わせ、綿材のような周辺逢着材４１を、四辺外周部を覆うように縫着することで、本実施例１の弾性保冷具１を構成している。
【００３７】
次に、本実施例１に係る前記保冷具２１における前記保冷具２１における部分圧着部７及び抜穴８の具体例について図８を参照して説明する。
【００３８】
図８上欄は前記外装体２に円環状の部分圧着部７及び円形の抜穴８を設けた例を示すものであり、図８第２欄は前記外装体２に円環状の部分圧着部７及び四角形の抜穴８を設けた例を示すものであり、図８第３欄は前記外装体２に四角形の部分圧着部７及び円形の抜穴８を設けた例を示すものであり、更に、図８最下欄は前記外装体２に四角形の部分圧着部７及び四角形の抜穴８を設けた例を示すものである。
【００３９】
この他、前記部分圧着部７の形状としては三角形状、楕円形状等々から選定でき、また、前記抜穴８の形状としては三角形、楕円形等から選定できる。
【００４０】
すなわち、前記部分圧着部７及び抜穴８の各形状は、種々の組み合わせの中から選定でき、図８に示す各例に限定されるものではない。
【００４１】
次に、図６、図７を参照して本実施例１に係る弾性保冷具１の使用態様等について説明する。
【００４２】
本実施例１に係る弾性保冷具１は、例えば、図６、図７に示すように、就寝等に使用するベッド（又は敷布団）１０におけるシーツ１１の上面に載せ（シーツの有無は問わない）、就寝者Ｍが前記弾性保冷具１上に横臥して就寝するような態様で使用するものである。なお、図６は、弾性保冷具１の保冷具２１を表側とした使用態様を示している。
【００４３】
このとき、保冷具２１の外周圧着部６の内部領域に多数の円環状の部分圧着部７を設けていることにより、就寝者Ｍの重さが弾性保冷具１に作用しても、この弾性保冷具１における保冷具２１内部のジェルを含む保冷媒体５の流動性がほど良く抑えられる。
【００４４】
そして、図７に示すように、弾性保冷具１が前記多穴弾性体３１における弾性連結糸材群の弾性作用によって適度に撓むことで、心地良く就寝者Ｍの体にフィットし使用感が極めて良好になるとともに、室温と就寝者Ｍの体温との温度差により保冷媒体５が就寝者Ｍの背中、腰部、足部等の体温を奪い冷却効果を高める。
前記保冷媒体５に蓄熱される熱は、前記各円環状の部分圧着部７に設けた円形の抜穴８や、前記多穴弾性体３１の穴３２から外部に放散され、特に就寝者Ｍの身体が直接載っていない弾性保冷具１の領域における円形の抜穴８から室内空気中に放散される。すなわち、就寝者Ｍの身体からの熱の放熱作用が極めて良好に行なわれる。なお、図７において、１２は枕である。
【００４５】
このようにして本実施例１に係る弾性保冷具１によれば、就寝者Ｍの使用感覚が良好であり、かつ、高温期における就寝開始時から目覚め時に至るまで就寝者Ｍの体温を程良く冷却して快適な睡眠を実現させるという優れた効果を発揮する。
【００４６】
また、本実施例１に係る弾性保冷具１は、この弾性保冷具１自体を表裏反転してのリバーシブル使用も可能であり、これにより、長期間にわたっての使用にも耐える弾性保冷具１とすることができる。
【実施例２】
【００４７】
図９乃至図１２を参照して本発明の実施例２に係る弾性保冷具１Ａ及びその使用態様について説明する。
【００４８】
本実施例２に係る弾性保冷具１Ａは、既述した実施例１の弾性保冷具１の場合と略同様な構成であるが、図９に多穴弾性体３１を表側として、図１０に保冷具２１を表側として各々示すように、全体サイズを例えば幅９０ｃｍ、長さ９０ｃｍとし、前記弾性保冷具１の略半分のハーフサイズとしたことが特徴である。
なお、外装体２の形状をハート形状（図示せず）として形成し、当該外装体２内にジェルを含む保冷媒体５を散在状態で密封収納して保冷具とし、ハート形状の弾性保冷具として形成し実施することもできる。この場合、前記保冷具に対応するサイズの多穴弾性体の形状はハート形状（図示せず）として形成し、その他の部分の構成は前記実施例１と同じである。
【００４９】
また、この弾性保冷具１Ａにおける前記保冷具２１の部分圧着部７は、図１０に示すように、外装体２の全体にわたって横方向に６個、縦方向に８個、合計で４８個設けている。そして、各抜穴８は、各部分圧着部７に例えば各々円形状に設けている。
【００５０】
本実施例２に係る弾性保冷具１Ａの場合も、図１１、図１２に示すように、就寝等に使用するベッド（又は敷布団）１０におけるシーツ１１の上面に載せ（シーツの有無は問わない）、就寝者Ｍが前記弾性保冷具１Ａ上に横臥して就寝するような態様で使用するものである。なお、本実施例２に係る弾性保冷具１Ａは、敷布団又はマットレス等の上に敷いて使用できる他、これ自体を単体で使用できることは勿論である。
【００５１】
本実施例２に係る弾性保冷具１Ａによれば、実施例１の場合と同様、就寝者Ｍの就寝時において、その背中にフィットし使用感が極めて良好になるとともに、室温と就寝者Ｍの体温との温度差により保冷媒体５が就寝者Ｍの背中の体温を奪い冷却効果を高める効果がある。
【００５２】
また、本実施例２に係る弾性保冷具１Ａは、この弾性保冷具１Ａを表裏反転してのリバーシブル使用も可能であり、これにより、長期間にわたっての使用にも耐える弾性保冷具１Ａとすることができる。
【実施例３】
【００５３】
図１３乃至図１６を参照して、本発明の実施例３に係る弾性保冷具１Ｂについて説明する。
【００５４】
本実施例３に係る弾性保冷具１Ｂは、既述した弾性保冷具１の場合と略同様な構成であるが、図１３に多穴弾性体３１を表側として、図１４に保冷具２１を表側として各々示すように、全体サイズを例えば幅３０ｃｍ、長さ４０ｃｍとし、枕１２用として構成したことが特徴である。
【００５５】
この弾性保冷具１Ｂの場合、部分圧着部７は、図１４に示すように、外装体２の全体にわたって横方向に３個、縦方向に２個、合計で６個設けている。そして、各抜穴８は、例えば各部分圧着部７に各々円形状に設けている。
【００５６】
図１５、図１６は、本実施例３に係る弾性保冷具１Ｂの使用態様を示すものであり、枕１２に弾性保冷具１Ｂを掛け就寝者Ｍが頭部を載せて就寝することによって、既述した場合と同様にして前記多穴弾性体３１の弾性作用でこの弾性保冷具１Ｂが心地良く就寝者Ｍの頭部にフィットするとともに、室温と就寝者Ｍの体温との温度差により保冷媒体５が就寝者Ｍの頭部の体温を奪い、かつ、前記抜穴８や前記多穴弾性体３１の穴３２が熱を室内空気中に放散させる。すなわち、就寝者Ｍの頭部からの熱の放熱作用が良好に行なわれる。
【００５７】
このようにして本実施例３に係る弾性保冷具１Ｂによれば、就寝者Ｍの使用感覚が良好であり、かつ、高温期における就寝開始時から目覚め時に至るまで、就寝者Ｍの頭部を程良く冷却して頭寒足熱の状態を現出し快適な睡眠を実現させるという優れた効果を発揮する。なお、本実施例３に係る弾性保冷具１Ｂは、敷布団又はマットレス等の上に敷いて使用できる他、これ自体を単体で使用できることは勿論である。
【００５８】
また、本実施例３に係る弾性保冷具１Ｂは、この弾性保冷具１Ｂを表裏反転してのリバーシブル使用も可能であり、これにより、長期間にわたっての使用にも耐える弾性保冷具１Ａとすることができる。
【００５９】
なお、上述した弾性保冷具１、弾性保冷具１Ａ、弾性保冷具１Ｂは、各々そのままでひんやりするものであるが、冷蔵庫で冷やした後使用したり、電子レンジで暖めて使用したりすることも可能である。
【産業上の利用可能性】
【００６０】
本発明は、上述したように主に就寝時に用いる他、夏場等における疲労回復用、スポーツ後の休息用等として広範な用途に適用可能である。
【符号の説明】
【００６１】
１    弾性保冷具
１Ａ  弾性保冷具
１Ｂ  弾性保冷具
２    外装体
３    表地
４    裏地
５    保冷媒体
６    外周圧着部
７    部分圧着部
８    抜穴
９    中間圧着部
１０    ベッド
１１    シーツ
１２    枕
２１    保冷具
３１    多穴弾性体
３２    穴
３３    網目状表地
３３ａ  網材
３４    網目状裏地
３４ａ  網材
３５    弾性連結糸材
４１    周辺逢着材
Ｍ    就寝者
【図１】
2011103993.tif 000003
【図２】
2011103993.tif 000004
【図３】
2011103993.tif 000005
【図４】
2011103993.tif 000006
【図５】
2011103993.tif 000007
【図６】
2011103993.tif 000008
【図７】
2011103993.tif 000009
【図８】
2011103993.tif 000010
【図９】
2011103993.tif 000011
【図１０】
2011103993.tif 000012
【図１１】
2011103993.tif 000013
【図１２】
2011103993.tif 000014
【図１３】
2011103993.tif 000015
【図１４】
2011103993.tif 000016
【図１５】
2011103993.tif 000017
【図１６】
2011103993.tif 000018